(57)【要約】【課題】効率的なフィルタリングが可能な６サイクロンダストクリーナーを提供する。【解決手段】内部空間を上から第１〜第４空間部に区画する第１〜第３隔壁を備え、一側面に粉塵を含む空気を第３空間部に流入させる流入口が形成されたキャビネットと、第３空間部に流入される空気を下方に移動させる第３隔壁から下方に延びた多数の第１誘導部と、第１誘導部に沿って移動する空気が上方に移動するように第２隔壁から第１誘導部の内側に延びた多数の第２誘導部と、第１誘導部と第２誘導部との間の空間を移動する空気に旋風が発生するように第１誘導部と第２誘導部との間に形成された螺旋誘導部と、第１誘導部に沿って下方に落下する粉塵を収める回収部と、第２空間部の空気を第１空間部に吸い込む吸込部と、第１隔壁の下部に設けられて吸込部によって第２空間部から第１空間部に移動する空気に含まれた粉塵をフィルタリングするフィルタ部とを備える。【選択図】    図１
2017035677.tif 000002
【特許請求の範囲】
【請求項１】
内部に空間部が形成され、該空間部を上部から第１空間部ないし第４空間部にそれぞれ区画する第１隔壁ないし第３隔壁が備えられ、一側面には粉塵が含まれた空気を前記第２隔壁と第３隔壁との間の第３空間部に流入させるための流入口が形成されたキャビネットと、
前記流入口を介して第３空間部に流入される空気が前記第４空間部に向かって下方に移動できるように前記第３隔壁から下方に所定長さ延びた複数の第１誘導部と、
前記第１誘導部に沿って下方に移動する空気が前記第２空間部に向かって上方に移動できるように前記第２隔壁から前記第１誘導部の内側に延びた複数の第２誘導部と、
前記第１誘導部と前記第２誘導部との間の空間に沿って移動する空気に旋風が発生するように前記第１誘導部と前記第２誘導部との間に形成された螺旋誘導部と、
前記第１誘導部の下方に設けられて、前記第１誘導部に沿って下方に落下する粉塵を収める回収部と、
前記第１隔壁の上部に設けられて、前記第２空間部の空気を前記第１空間部に吸い込む吸込部と、
前記第１隔壁の下部に設けられて、前記吸込部によって前記第２空間部から前記第１空間部に移動する空気に含まれた粉塵をフィルタリングするフィルタ部と
を備えることを特徴とする６サイクロンダストクリーナー。
【請求項２】
前記フィルタ部の内部に高圧の空気を噴出して前記フィルタ部に付着された粉塵を脱離させるための脱塵部がさらに備えられることを特徴とする請求項１に記載の６サイクロンダストクリーナー。
【発明の詳細な説明】
【技術分野】
【０００１】
本発明は、空気中に混入された粉塵などの異物を除去して、浄化した空気だけを外部に排出誘導するための６サイクロンダストクリーナー（6 Cyclone Dust Cleaner）に係り、さらに詳しくは一つ以上のサイクロンを配置して、一層効率的なフィルタリングを可能にする６サイクロンダストクリーナーに関する。
【背景技術】
【０００２】
サイクロンは集じん機の中で最も広範に使われている一つの運用方式であって、その原理は粉塵を含んだ気流を流入させて旋回運動を誘導することによって、遠心力により粉塵を分離集じんするものである。すなわち、接線方向に流入された気体が円筒内径に沿って旋回しつつ下降する間に、粉塵遠心力が働いて壁方向に移動しつつ気流から分離されるところ、異物から分離された空気は上部へ排出され、異物は別に収集される。
【０００３】
前述したようなサイクロン集じん装置には種々の形態があるが、そのうち、１次サイクロン集じん装置と２次サイクロン集じん装置とを連結形成して一つのサイクロン集じん装置として構成した多重サイクロン集じん装置が主に提供されており、これによれば、異物の集じんを多重的に行うように導くことによって、一つだけで構成された単一サイクロン集じん装置に比べて優れた集じん性能を発揮できるようになる。
【０００４】
多重サイクロン集じん装置では、例えば、１次サイクロン集じん装置は比較的に大体積の異物の集じんを行わせ、２次サイクロン集じん装置は前記１次サイクロン集じん装置において全て集じんできなかった微細異物の集じんを行うように構成される。
【０００５】
一般の多重サイクロン集じん装置は、１次サイクロン集じん部と、１次サイクロン集じん部の内側に位置した２次サイクロン集じん部と、各サイクロン集じん部に吸引力を伝達するファンと、該ファンを回転しつつ吸引力を発生できるように駆動力を伝達するファンモータからなり、１次サイクロン集じん部は、胴体をなしながら集じん筒の役割を果たす外筒と、外筒の上部の一側に備えられ、室内空気が吸い込まれる第１空気吸込流路と、外筒内で流動する空気が排出されるように案内する第１空気排出流路で構成される。一方、２次サイクロン集じん部は１次サイクロン集じん部の外筒の内部と所定間隔に離隔された状態に位置する内筒と、内筒内に空気の吸込が行われる第２空気吸込流路と、内筒内で流動する空気が排出されるように案内するための第２空気排出流路とから構成される。
【０００６】
前述したような従来の多重サイクロン集じん装置は全体的な構造上、下記のような問題点を抱えている。
第１に、１次サイクロン集じん部の許容集じん容量が比較的に少ない問題点がある。すなわち、１次サイクロン集じん部の内部に２次サイクロン集じん部が位置することで比較的に大きいホコリの集じんを行うべき１次サイクロン集じん部の許容集じん容量が減るしかない構造であることから、ユーザにとって異物の排出を一層頻繁に行うべき不便な点がある。
【０００７】
第２に、２次サイクロン集じん部の許容集じん容量に比べて多量の微細ホコリが流入し続ける場合、許容容量を超えた超過分の微細ホコリは２次サイクロン集じん部を通過してファンモータに流入される問題点が発生する。これは、比較的に許容集じん空間の広い１次サイクロン集じん部では単に大きなホコリだけ集じんできるように構成されており、微細ホコリは殆ど２次サイクロン集じん部に排出されるように構成されているからである。すなわち、１次サイクロン集じん部で最大限多量の各種の異物(微細異物)も共に集じんすべきなのに、その作用を十分に行えなかったため、このような問題点が発生するので、ファンモータの頻繁な故障を誘発するのみならず、ユーザが頻繁に集じん筒を掃除すべき煩わしさがある。
【０００８】
第３に、外筒の内底部には２次サイクロン集じん部の働きによって集じんされた集じん空間との区画のための別の仕切り板が一体化されていることを考慮する際、外筒内に集じんされた各種の異物の排出時、前記仕切り板による各種の異物の詰まりによって円滑な排出が行われなくなる問題点がある。これにより、ユーザが不便性を感じるのみならず、全部排出できずに集じん空間内に残存するようになる異物の腐敗によって悪臭が発生する恐れがある。
【先行技術文献】
【特許文献】
【０００９】
【特許文献１】ＫＲ１０−０５５６４４１Ｂ１公報
【特許文献２】ＫＲ１０−０６２２５４９Ｂ１公報
【発明の概要】
【発明が解決しようとする課題】
【００１０】
本発明は、前述したような従来の技術の問題を解決するために案出されたもので、その目的は多数のサイクロンを配置して大径あるいは小径粉塵はもちろん、許容容量を問わず微細粉塵までも効率よく濾すことのできる６サイクロンダストクリーナーを提供するところにある。
【００１１】
また、本発明の他の目的は、多数の箇所に区分された各領域でフィルタリングを実現可能な構造よりなり、流入される汚れた空気を各空間に進行誘導するための特定経路を区画編成して集じん効率をアップできるようにする６サイクロンダストクリーナーを提供するところにある。
【課題を解決するための手段】
【００１２】
前述したような目的を達成するための本発明に係る６サイクロンダストクリーナーは、内部に空間部が形成され、該空間部を上部から第１空間部ないし第４空間部にそれぞれ区画する第１隔壁ないし第３隔壁が備えられ、一側面には粉塵が含まれた空気を前記第２隔壁と第３隔壁の間の第３空間部に流入させるための流入口が形成されたキャビネットと、前記流入口を介して第３空間部に流入される空気が前記第４空間部に向かって下方に移動できるように前記第３隔壁から下方に所定長さ延びた多数（少なくとも複数）の第１誘導部と、該第１誘導部に沿って下方に移動する空気が前記第２空間部に向かって上方に移動できるように前記第２隔壁から前記第１誘導部の内側に延びた多数（少なくとも複数）の第２誘導部と、前記第１誘導部と前記第２誘導部との間の空間に沿って移動する空気に旋風が発生するように前記第１誘導部と前記第２誘導部との間に形成された螺旋誘導部と、前記第１誘導部の下方に設けられて前記第１誘導部に沿って下方に落下する粉塵を収める回収部と、前記第１隔壁の上部に設けられて前記第２空間部の空気を前記第１空間部に吸い込む吸込部と、前記第１隔壁の下部に設けられて前記吸込部によって前記第２空間部から前記第１空間部に移動する空気に含まれた粉塵をフィルタリングするフィルタ部とを備えることを特徴とする。
【００１３】
前記フィルタ部の内部に高圧の空気を噴出して、前記フィルタ部に固着された粉塵を脱離させるための脱塵部がさらに備えられることを特徴とする。
【発明の効果】
【００１４】
以上説明してきた本発明に係る６サイクロンダストクリーナーによれば、多数のサイクロンを配置して大径あるいは小径粉塵は勿論、許容容量を問わず微細粉塵までも効率よく濾すことができ、多箇所に区分された各領域でフィルタリングを実現可能な構造よりなって、流入される汚れた空気を各空間に進行誘導するための特定経路を区画編成して集じん効率をアップすることができる。
【図面の簡単な説明】
【００１５】
【図１】図１は、本発明に係る６サイクロンダストクリーナーを示す正断面図である。
【図２】図２は、本発明に係る６サイクロンダストクリーナーを示す側断面図である。
【図３】図３は、本発明に係る６サイクロンダストクリーナーを示す平面図である。
【発明を実施するための形態】
【００１６】
以下に添付図面を参照しながら、本発明の好適な実施形態に係る６サイクロンダストクリーナーについて詳細に説明する。
【００１７】
図１ないし図３には本発明に係る６サイクロンダストクリーナーが示されている。
同図を参照すれば、本発明に係る６サイクロンダストクリーナーは、キャビネット１０と、第１誘導部２０と、第２誘導部３０と、螺旋誘導部４０と、回収部５０と、吸込部６０と、フィルタ部７０とを備える。
【００１８】
前記キャビネット１０は、後述する第１誘導部２０、第２誘導部３０、螺旋誘導部４０、回収部５０、吸込部６０、フィルタ部７０などを内部に設けられるように内部に空間部が形成された直六面体状に形成されている。
【００１９】
そして、前記キャビネット１０には空間部を上部から第１空間部１０ａないし第４空間部１０ｄにそれぞれ区画する第１隔壁１１ないし第３隔壁１３が備えられており、少なくとも一側面には粉塵が含まれた空気を第２隔壁１２と第３隔壁１３との間の第３空間部１０ｃに流入させるための流入口１７が形成されている。
【００２０】
前記第１隔壁１１によって第１空間部１０ａと第２空間部１０ｂが区画され、第２隔壁１２によって第２空間部１０ｂと第３空間部１０ｃが区画され、第３隔壁１３によって第３空間部１０ｃと第４空間部１０ｄが区画される。
【００２１】
前記第１隔壁１１の中央には第１連通口１１ａが形成されており、第２隔壁１２には多数の第２連通口１１ｂが形成されており、第３隔壁１３には第２連通口１１ｂと対応する位置にそれぞれ第３連通口１１ｃが形成されている。そして、前記キャビネット１０の下部には、回収部５０を出入り自在にする出入り口が形成されている。
【００２２】
前記第１誘導部２０は、流入口１７を介して第３空間部１０ｃに流入される空気が第４空間部１０ｄに向かって下方に移動できるように第３隔壁１３から下方へ所定長さに延びている。
【００２３】
前記第１誘導部２０は多数が互いに離隔して配置されており、上部及び下部がそれぞれ開放及び内部が空いており、下部は下方に延びるほど断面積が次第に狭まるテーパー状をなす。
【００２４】
そして、前記第１誘導部２０の上端は第３隔壁１３に形成された第３連通口１１ｃに結合されていて、流入口１７を介して第３空間部１０ｃに流入された空気が下方に移動することができる。
【００２５】
前記第２誘導部３０は、第１誘導部２０に沿って下方に移動する空気が第２空間部１０ｂに向かって上方に移動できるように、第２隔壁１２から第１誘導部２０の内側に延びている。
【００２６】
そして、前記第２誘導部３０は多数が互いに離隔して配置され、第１誘導部２０と対応する位置にそれぞれ配置されている。
【００２７】
また、前記第２誘導部３０は上部及び下部が開放され、内部が空いており、外径が一定したパイプ状に形成されている。
【００２８】
前記第２誘導部３０の上端は第２隔壁１２に形成された第２連通口１１ｂに結合されており、下端は第１誘導部２０の内側に延びていて、第１誘導部２０に沿って移動する空気が第２誘導部３０を介して下方に移動することができる。
【００２９】
前記螺旋誘導部４０は、第１誘導部２０と第２誘導部３０との間の空間に沿って移動する空気に旋風が発生するように、第１誘導部２０と第２誘導部３０との間に形成されている。
【００３０】
そして、前記螺旋誘導部４０は、本実施形態に適用したように、第２誘導部３０の外周面に沿ってスクリューを形成することによって実現することができる。また、これとは違って、第１誘導部２０の内周面にスクリューを形成することによって実現することもできる。すなわち、前記螺旋誘導部４０は、第１誘導部２０と第２誘導部３０との間に形成された空間で旋風を発生できる構造であれば、どのような構造でも適用できる。
【００３１】
前記第１誘導部２０に沿って移動する空気は螺旋誘導部４０によって第１誘導部２０の内周面に沿って回転するようになり、この際発生する遠心力によって比較的に重い粉塵は第１誘導部２０の縁部側に押されながら自重によって下方に落下し、比較的に軽い粉塵は第２誘導部３０の下部を介して上部に移動するようになる。すなわち、前記螺旋誘導部４０を介して１次的な粉塵のフィルタリングが行われる。
【００３２】
前記粉塵回収部５０は第１誘導部２０の下方に設けられて、第１誘導部２０に沿って下方に落下する粉塵を収めるように上部が開放され、内部には回収空間が形成されており、キャビネット１０の一側に形成された出入口を介してキャビネット１０の内部に出入りする。
【００３３】
前記吸込部６０は第１隔壁１１の上部に設けられて、第２空間部１０ｂの空気を第１空間部１０ａに吸い込むものであって、駆動モータ６１と吸引ファン６２とを備える。
【００３４】
前記吸込部６０の動作によって発生する吸引力によってキャビネット１０の外気が流入口を介して第１誘導部２０と、第２誘導部３０と、第２空間部１１ｂを経て第１空間に移動する。
【００３５】
前記フィルタ部７０は、第１隔壁１１の下部に設けられて、吸込部６０によって第２空間部１０ｂから第１空間部１０ａに移動する空気に含まれた粉塵をフィルタリングする。
前記フィルタ部７０は、上板及び下板と、上板と下板との間に設けられるフィルタ部材を備え、上板の中央には第１隔壁１１に形成された第１連通口１１ａと連通する開口部が形成されている。
【００３６】
一方、前記キャビネット１０の第２空間部１０ｂにはフィルタ部７０を第１隔壁１１の下部に着脱できるようになった装着部８０がさらに備えられている。
【００３７】
前記装着部８０は、前記第１隔壁１１に保持された第１保持フレームに一方側が回動自在に設けられ、フィルタ部７０の下部を保持する受け部と、受け部の他方側に固設されて第１隔壁１１から下方に延びた延長フレームに着脱自在に結合されるトグルクランプとを備える。前記装着部８０を介してフィルタ部７０の交換を容易にすることもできる。
【００３８】
また、本発明に係る６サイクロンダストクリーナーは、フィルタ部７０の内部に高圧の空気を噴出してフィルタ部７０に付着された粉塵を脱離させるための脱塵部９０がさらに備えられている。
【００３９】
前記脱塵部９０は、高圧の空気を圧縮貯蔵するタンク９１と、一端がタンク９１と連結され、他端はフィルタ部７０の内部に延びた延長管９２を備える。
【００４０】
前記延長管９２は、図３に示したように、フィルタ部７０の形状と対応する円形に配置されており、外側にはフィルタ部材に向かって空気が排出される多数の噴射孔が延長管９２に沿って離隔して形成されている。
【００４１】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４２】
１０:キャビネット
２０:第１誘導部
３０:第２誘導部
４０:螺旋誘導部
５０:回収部
６０:吸込部
６１:駆動モータ
６２:吸引ファン
７０:フィルタ部
８０:装着部
９０:脱塵部
【図１】
2017035677.tif 000003
【図２】
2017035677.tif 000004
【図３】
2017035677.tif 000005